(57)【要約】【課題】  不正利用を回避する効果が高いＲＦＩＤタグを提供する。【解決手段】  ベースと、ベース上のアンテナパターンと、ベース上の破壊用パターンと、アンテナパターンおよび破壊用パターンの双方に接続された回路チップと、それらアンテナパターン、破壊用パターン、および回路チップを覆ってベースに剥離可能な状態で接着され、ベースから剥離される際に破壊用パターンの全部又は一部を伴って剥離されるカバーとを備え、破壊用パターンが透明なものであるか、あるいは、カバーが、破壊用パターンのうちの残存部分を隠蔽するものであるか、あるいは、破壊用パターンが所定の電気特性を生じる特定部分を有するものでありカバーがその特定部分を隠蔽するものである。【選択図】        図４
2006134249.tif 000002
【特許請求の範囲】
【請求項１】
ベースと、
前記ベース上に設けられた、通信用のアンテナを形成する第１パターンと、
前記ベース上に設けられた、透明な導線からなる第２パターンと、
前記第１パターンおよび前記第２パターンに電気的に接続された、前記アンテナを介した無線通信、および前記第２パターンの破壊の検知を行う回路チップと、
前記第１パターン、前記第２パターン、および前記回路チップを覆って前記ベースに剥離可能な状態で接着された、該ベースからの剥離の際に前記第２パターンの全部または一部とともに剥離されるカバーとを備えたことを特徴とするＲＦＩＤタグ。
【請求項２】
ベースと、
前記ベース上に設けられた、通信用のアンテナを形成する第１パターンと、
前記ベース上に設けられた、導線からなる第２パターンと、
前記第１パターンおよび前記第２パターンに電気的に接続された、前記アンテナを介した無線通信、および前記第２パターンの破壊の検知を行う回路チップと、
前記第１パターン、前記第２パターン、および前記回路チップを覆って隠蔽して前記ベースに剥離可能な状態で接着された、該ベースからの剥離の際には隠蔽部分と露呈部分とに分かれて剥離されると共に、前記第２パターンのうち該露呈部分に対応する部分を伴って剥離されるカバーとを備えたことを特徴とするＲＦＩＤタグ。
【請求項３】
ベースと、
前記ベース上に設けられた、通信用のアンテナを形成する第１パターンと、
前記ベース上に設けられた、所定の電気的特性を生じるように導線が配線されてなる特定部分を有する第２パターンと、
前記第１パターンおよび前記第２パターンに電気的に接続された、前記アンテナを介した無線通信、および前記第２パターンにおける前記特定部分の存在によって生じる電気的特性の検知を行う回路チップと、
前記第１パターン、前記第２パターン、および前記回路チップを覆い、少なくとも該第２パターンにおける前記特定部分を隠蔽して前記ベースに剥離可能な状態で接着された、該ベースからの剥離の際に該特定部分とともに剥離されるカバーとを備えたことを特徴とするＲＦＩＤタグ。
【請求項４】
前記第２パターンが、透明の導線からなるものであることを特徴とする請求項２または３記載のＲＦＩＤタグ。
【請求項５】
前記カバーは、前記第２パターンに接している側が、その第２パターンの導線の色と同じ色を有するものであることを特徴とする請求項２または３記載のＲＦＩＤタグ。
【発明の詳細な説明】
【技術分野】
【０００１】
本発明は、非接触で外部機器と情報のやり取りを行うＲＦＩＤ（Ｒａｄｉｏ＿Ｆｒｅｑｕｅｎｃｙ＿ＩＤｅｎｔｉｆｉｃａｔｉｏｎ）タグに関する。なお、本願技術分野における当業者間では、本願明細書で使用する「ＲＦＩＤタグ」のことを、「ＲＦＩＤタグ」用の内部構成部材（インレイ；ｉｎｌａｙ）であるとして「ＲＦＩＤタグ用インレイ」と称する場合もある。あるいは、この「ＲＦＩＤタグ」のことを「無線ＩＣタグ」と称する場合もある。また、この「ＲＦＩＤタグ」には、非接触型ＩＣカードも含まれる。
【背景技術】
【０００２】
近年、リーダライタに代表される外部機器と、電波によって非接触で情報のやり取りを行う種々のＲＦＩＤタグが提案されている。このＲＦＩＤタグの一種として、プラスチックや紙からなるベースシート上に電波通信用のアンテナパターンとＩＣチップが搭載された構成のものが提案されており、このようなタイプのＲＦＩＤタグについては、物品などに貼り付けられ、その物品に関する情報を外部機器とやり取りすることで物品の識別などを行うという利用形態が考えられている。
【０００３】
このようなＲＦＩＤタグの利用形態にあっては、ある物品に貼り付けられているＲＦＩＤタグをその物品から剥がして他の物品に貼り付けることによって外部機器に物品を誤認させ、例えば高額の商品を安価な商品として入手するといった不正利用が予想され、そのような不正利用を回避するための技術が望まれている。
【０００４】
このような現状に対し、ＲＦＩＤタグの剥離に際してアンテナパターンの破壊を生じさせて通信不能とする技術が提案されている（例えば、特許文献１、特許文献２、および特許文献３参照。）。
【０００５】
図１は、従来技術のＲＦＩＤタグにおける剥離前の状態を表す正面図（Ａ）および側面図（Ｂ）である。
【０００６】
この図１に示すＲＦＩＤタグ１は、ベースシート１３上に設けられたアンテナパターン１２と、そのアンテナパターン１２にバンプ１６で接続されたＩＣチップ１１と、それらアンテナパターン１２およびＩＣチップ１１を覆ってベースシート１３に接着剤１５で接着されたカバーシート１４とで構成されている。
【０００７】
このＲＦＩＤタグ１は、ベースシート１３側が物品に接着されて使用され、接着剤１５の接着力は、ベースシート１３側が物品に接着される接着力よりも弱い接着力となっている。このため、不正利用を企てる不正利用者によってＲＦＩＤタグ１が剥がされるときには、ベースシート１３からカバーシート１４が剥がれることとなる。
【０００８】
また、アンテナパターン１２には、ベースシート１３との密着が弱い箇所が所々に設けられている。
【０００９】
図２は、従来技術のＲＦＩＤタグにおける剥離後の状態を表す正面図（Ａ）および側面図（Ｂ）である。
【００１０】
図１に示すカバーシート１４がベースシート１３から剥がされると、ベースシート１３との密着が弱い箇所１２ａではアンテナパターン１２がカバーシート１４とともに剥がれ、これによってアンテナパターン１２は、通信アンテナとしての機能を失い、通信が不可能となる。
【００１１】
不正利用を回避するための技術としては、ＲＦＩＤタグに、アンテナパターンとは別に、剥離に際して破壊される専用パターンが備えられ、ＩＣチップでその専用パターンの破壊を検知するという技術も提案されている。
【００１２】
図３は、従来技術の別のＲＦＩＤタグにおける剥離前の状態（Ａ）および剥離後の状態（Ｂ）を示す図である。
【００１３】
この図３に示すＲＦＩＤタグ２は、アンテナパターン２２と、そのアンテナパターン２２に接続されたＩＣチップ２１と、導電性インク２４によって導通された破壊用パターン２３を備えており、図示は省略されているが、図１に示すＲＦＩＤタグ１と同様にベースシートとカバーシートも備えている。
【００１４】
このＲＦＩＤタグ２の場合にも、不正利用を企てる不正利用者によってＲＦＩＤタグ２が剥がされるときには、ベースシートからカバーシートが剥がれる。そして、このＲＦＩＤタグ２では、カバーシートが剥がれる際に導電性インク２４が飛び散って破壊用パターン２３が絶縁状態となり、ＩＣチップ２１は、破壊用パターン２３におけるこのような絶縁状態を検知する。また、飛び散った導電性インク２４によって目視でも破壊が確認される。
【００１５】
この図３に示すＲＦＩＤタグ２の場合には、カバーシートが剥がれてもアンテナパターン２２および通信機能が維持されており、外部機器との通信に際して、ＲＦＩＤタグ２の剥離が生じたことを外部機器に通知する。
【特許文献１】米国特許出願公開第２００３／０７５６０８号明細書
【特許文献２】米国特許第６４２１０１３号明細書
【特許文献３】特表２００３−５２４８１１号公報
【発明の開示】
【発明が解決しようとする課題】
【００１６】
しかし、上述したような従来の技術では、ＲＦＩＤタグの剥離によってタグの一部が破壊されていることや、そのように破壊されている箇所が明白であるため、不正利用を企てる者に対し、その破壊された箇所を修復する動機や機会を与えてしまい、不正利用を回避する効果が不十分になるという問題がある。
【００１７】
本発明は上記事情に鑑み、不正利用を回避する効果が高いＲＦＩＤタグを提供することを目的とする。
【課題を解決するための手段】
【００１８】
上記目的を達成する本発明の第１のＲＦＩＤタグは、
ベースと、
ベース上に設けられた、通信用のアンテナを形成する第１パターンと、
ベース上に設けられた、透明な導線からなる第２パターンと、
上記第１パターンおよび上記第２パターンに電気的に接続された、上記アンテナを介した無線通信、および上記第２パターンの破壊の検知を行う回路チップと、
上記第１パターン、上記第２パターン、および上記回路チップを覆ってベースに剥離可能な状態で接着された、そのベースからの剥離の際に上記第２パターンの全部または一部とともに剥離されるカバーとを備えたことを特徴とする。
【００１９】
本発明の第１のＲＦＩＤタグによれば、第２パターンが透明であるため、不正利用を目的としてＲＦＩＤを剥離した者は、第２パターンの部分が破壊されているということや破壊箇所などに気づかない。このため、破壊箇所を修復する動機などが生じず、回路チップによって第２パターンの破壊が確実に検知されることとなり、不正利用を回避する効果が高い。
【００２０】
上記目的を達成する本発明の第２のＲＦＩＤタグは、
ベースと、
ベース上に設けられた、通信用のアンテナを形成する第１パターンと、
ベース上に設けられた、導線からなる第２パターンと、
上記第１パターンおよび上記第２パターンに電気的に接続された、上記アンテナを介した無線通信、および上記第２パターンの破壊の検知を行う回路チップと、
上記第１パターン、上記第２パターン、および上記回路チップを覆って隠蔽してベースに剥離可能な状態で接着された、そのベースからの剥離の際には隠蔽部分と露呈部分とに分かれて剥離されると共に、上記第２パターンのうちその露呈部分に対応する部分を伴って剥離されるカバーとを備えたことを特徴とする。
【００２１】
本発明の第２のＲＦＩＤタグによれば、第２パターンのうちカバーの剥離後もベース上に残る部分は隠蔽部分によって隠蔽されていて第２パターンの破壊箇所が不明となる。このため、第１のＲＦＩＤタグと同様に、不正利用を目的とする者に対して破壊箇所を修復する動機などを与えず、不正利用を回避する効果が高い。
【００２２】
上記目的を達成する本発明の第３のＲＦＩＤタグは、
ベースと、
ベース上に設けられた、通信用のアンテナを形成する第１パターンと、
ベース上に設けられた、所定の電気的特性を生じるように導線が配線されてなる特定部分を有する第２パターンと、
上記第１パターンおよび上記第２パターンに電気的に接続された、上記アンテナを介した無線通信、および上記第２パターンにおける上記特定部分の存在によって生じる電気的特性の検知を行う回路チップと、
上記第１パターン、上記第２パターン、および上記回路チップを覆い、少なくともその第２パターンにおける上記特定部分を隠蔽してベースに剥離可能な状態で接着された、そのベースからの剥離の際にその特定部分とともに剥離されるカバーとを備えたことを特徴とする。
【００２３】
本発明の第３のＲＦＩＤタグによれば、第２パターンの特定部分がカバーで隠蔽され、剥離時にはその特定部分が剥離される。このため特定部分の構造が人に知られることが防止されており、特定部分に複雑な構造を採用すると、不正利用を目的とする者がその特定部分を修復することが不可能となる。
【００２４】
本発明の第２および第３のＲＦＩＤタグにおいて、上記第２パターンが、透明の導線からなるものであるという形態は好適である。
【００２５】
本発明の第２および第３のＲＦＩＤタグに透明の導線からなる第２パターンが採用されることによって、本発明の第１のＲＦＩＤタグにおける効果も相乗的に発揮されることとなり、第２パターンの破壊がより一層判別不能となる。従って、不正利用の回避効果も向上する。
【００２６】
また、本発明の第２および第３のＲＦＩＤタグにおいて、上記カバーは、上記第２パターンに接している側が、その第２パターンの導線の色と同じ色を有するものであるという形態も好適である。
【００２７】
第２パターンの導線とカバーとが互いに同色であることでも導線の存在確認が困難となり、第２パターンの破壊がより一層判別不能となる。従って、不正利用の回避効果も向上する。
【発明の効果】
【００２８】
以上説明したように、本発明のＲＦＩＤタグによれば、不正利用を回避する効果が高い。
【発明を実施するための最良の形態】
【００２９】
以下図面を参照して本発明の実施の形態を説明する。
【００３０】
図４は、本発明のＲＦＩＤタグの第１実施形態を示す正面図（Ａ）および側面図（Ｂ）である。
【００３１】
第１実施形態のＲＦＩＤタグ１００は、ＰＥＴ製のベースシート１０５と、そのベースシート１０５上に設けられた銅のアンテナパターン１０２と、銅線部分１０３ａおよび透明なＩＴＯ（Ｉｎｄｉｕｍ  Ｔｉｎ  Ｏｘｉｄｅ；酸化インジウムスズ）部分１０３ｂからなる破壊用パターンと、アンテナパターン１０２にバンプ１０９を介して電気的に接続されたＩＣチップ１０１とを備えている。破壊用パターンのＩＴＯ部分１０３ｂはＰＥＴ製のサブシート１０４上に形成されていて、導電性接着剤によって銅線部分１０３ａに接続され、銅線部分１０３ａとバンプ１０９とを介してＩＣチップ１０１に電気的に接続されている。ＩＣチップ１０１は、アンテナパターン１０２を介して、リーダライタに代表される外部機器と通信を行う。また、ＩＣチップ１０１は、破壊用パターンにおけるＩＴＯ部分１０３ｂの有無を検知する機能も有している。このＲＦＩＤタグ１００は、更に、アンテナパターン１０２やＩＣチップ１０１などを覆ってベースシート１０５に接着剤１０７で接着されたＰＥＴ製のカバーシート１０６も備えており、このカバーシート１０６とサブシート１０４は、強力な接着剤１０８で接着されている。
【００３２】
ここで、ベースシート１０５は、本発明にいうベースの一例に相当し、アンテナパターン１０２は、本発明にいう第１パターンの一例に相当し、破壊用パターンのＩＴＯ部分１０３ｂは、本発明にいう第２パターンの一例に相当し、ＩＣチップ１０１は、本発明にいう回路チップの一例に相当し、カバーシート１０６は、本発明にいうカバーの一例に相当する。
【００３３】
このように構成されたＲＦＩＤタグ１００の見た目としては、ＩＣチップ１０１とアンテナパターン１０２と銅線部分１０３ａが認識され、透明なＩＴＯ部分１０３ｂの存在は認識されない。
【００３４】
このＲＦＩＤタグ１００は、ベースシート１０５側が物品に接着されて使用され、カバーシート１０６をベースシート１０５に接着している接着剤１０７の接着力は、ベースシート１０５側が物品に接着される接着力よりも弱い接着力となっている。このため、不正利用を企てる不正利用者によってＲＦＩＤタグ１００が剥がされるときには、ベースシート１０５からカバーシート１０６が剥がれることとなる。また、サブシート１０４は、強力な接着剤１０８によってカバーシート１０６に接着されているので、カバーシート１０６がベースシート１０５から剥がれる際には、カバーシート１０６に伴って、ＩＴＯ部分１０３ｂとともにベースシート１０５から剥がされることとなる。
【００３５】
図５は、本発明のＲＦＩＤタグの第１実施形態における剥離後の状態を表す正面図（Ａ）および側面図（Ｂ）である。
【００３６】
カバーシートが剥がれると、ベースシート１０５上には、ＩＣチップ１０１とアンテナパターン１０２と銅線部分１０３ａが残ることとなり、ＩＣチップ１０１は、図１に示すＩＴＯ部分１０３ｂの欠落を検知し、アンテナパターン１０２を介して外部機器に、カバーシートが剥がれている旨の警告を発する。
【００３７】
カバーシートが剥がれた状態の見た目は、カバーシートが剥がれる前の見た目と同等であるので、不正利用者は、ＩＴＯ部分１０３ｂの欠落を認識することができず、欠落の修正にも思い至ることがない。従って、上述した警告によって不正利用の企てが確実に発覚し、不正利用の確実な回避が実現される。また、ＩＴＯ部分１０３ｂは、３０μｍ程度の微細パターンで形成することができ、そのような微細パターンで形成されたＩＴＯ部分１０３ｂは視認性が極めて悪いため、不正利用の回避がより確実となる。
【００３８】
図６は、本発明のＲＦＩＤタグの第２実施形態を示す正面図（Ａ）および側面図（Ｂ）である。
【００３９】
第２実施形態のＲＦＩＤタグ２００は、ＰＥＴ製のベースシート２０５と、そのベースシート２０５上に設けられたアンテナパターン２０２と、銀ペースト製の破壊用パターン２０３と、アンテナパターン２０２および破壊用パターン２０３の双方にバンプ２０９を介して電気的に接続されたＩＣチップ２０１と、これらＩＣチップ２０１、アンテナパターン２０２、破壊用パターン２０３を覆って隠蔽する、銀色の不透明インクからなる隠蔽層２０７と、隠蔽層２０７を介してベースシート２０５に接着された透明なカバーシート２０６とで構成されている。
【００４０】
ここで、ベースシート２０５は、本発明にいうベースの一例に相当し、アンテナパターン２０２は、本発明にいう第１パターンの一例に相当し、破壊用パターン２０３は、本発明にいう第２パターンの一例に相当し、ＩＣチップ２０１は、本発明にいう回路チップの一例に相当し、カバーシート２０６と隠蔽層２０７は、本発明にいうカバーの一例を構成している。
【００４１】
カバーシート２０６と隠蔽層２０７は、いわゆる偽造防止ラベルと同様の構造を有しており、隠蔽層２０７は、図６のパート（Ｂ）に点線で示されているように、カバーシート２０６側とベースシート２０５側とに容易に分離する構造となっている。但し、隠蔽層２０７中には強力な接着剤２０８も埋め込まれており、この接着剤２０８によって、破壊用パターン２０３の一部位がカバーシート２０６に強力に接着されている。
【００４２】
この図６に示す第２実施形態でも、ＲＦＩＤタグ２００は、ベースシート２０５側が物品に接着されて使用される。そして、剥離層２０７は、ベースシート２０５側が物品に接着される接着力よりも弱い力によってカバーシート２０６側とベースシート２０５側とに分離する。
【００４３】
図７は、本発明のＲＦＩＤタグの第２実施形態における剥離後の状態を表す正面図（Ａ）および側面図（Ｂ）である。
【００４４】
カバーシート２０６が剥離されると、隠蔽層の露呈部分２０７ａはカバーシート２０６とともに剥離され、隠蔽層の隠蔽部分２０７ｂはベースシート２０５側に残留する。これによって、ＲＦＩＤタグの正面側には、タグが剥離されたことが一目で確認できる模様が現れることとなる。また、破壊用パターンの破壊部位２０３ａは、強力な接着剤２０８によってカバーシート２０６とともにベースシート２０５から剥離され、破壊用パターンが絶縁状態となる。第１実施形態と同様に、破壊用パターンの絶縁状態はＩＣチップ２０１によって検知され、外部機器に通知される。
【００４５】
破壊用パターンのうち、ベースシート２０５側に残留する残留部位２０３ｂは隠蔽層の隠蔽部分２０７ｂによって隠蔽されているし、カバーシート２０６側に付着している破壊部位２０３ａは、隠蔽層と同色の銀色であるため、破壊用パターンが破壊されているということや破壊された部分などは認識されない。このため、この第２実施形態でも、不正利用者には修復の動機が生じず、不正利用の確実な回避が実現される。
【００４６】
なお、この第２実施形態の破壊用パターンが第１実施形態と同様にＩＴＯで作成された形態も有用である。このように破壊用パターンがＩＴＯで作成された形態では、隠蔽層のインクの色が自由に選択可能となるので、タグのカラーバリエーションなどを増やすことができる。また、ＲＦＩＤタグの安価な形態としては、破壊用パターンが銅で作成された形態もあり得る。この安価な形態では、カバーシート側に付着した破壊部位は人目に触れる可能性があるが、剥がれたカバーシートの裏側までわざわざ確認するということはまれで、この形態でも不正利用に対する回避効果は十分に高いと考えられる。
【００４７】
図８は、本発明のＲＦＩＤタグの第３実施形態を示す図である。
【００４８】
第３実施形態のＲＦＩＤタグ３００は、ベースシート３０５と、そのベースシート３０５上に設けられたアンテナパターン３０２と、銀ペーストからなる破壊用パターン３０３と、アンテナパターン３０２および破壊用パターン３０３の双方に接続されたＩＣチップ３０１と、それらアンテナパターン３０２、破壊用パターン３０３、およびＩＣチップ３０１を覆うカバーシート３０６とを備えており、このカバーシート３０６は、破壊用パターン３０３を隠蔽した銀色の隠蔽部分３０４を有している。
【００４９】
ここで、ベースシート３０５は、本発明にいうベースの一例に相当し、アンテナパターン３０２は、本発明にいう第１パターンの一例に相当し、破壊用パターン３０３は、本発明にいう第２パターンの一例に相当し、ＩＣチップ３０１は、本発明にいう回路チップの一例に相当し、カバーシート３０６は、本発明にいうカバーの一例に相当している。
【００５０】
この第３実施形態では、破壊用パターン３０３として長くて複雑な形状のパターンが用いられ、所定の抵抗値Ｒｉが生じている。ＩＣチップ３０１は、破壊用パターン３０３における抵抗値をモニタしている。
【００５１】
この第３実施形態のＲＦＩＤタグ３００も、第１実施形態などと同様にベースシート３０５が物品に接着されて使用され、カバーシート３０６は、ベースシート３０５が物品に接着される接着力よりも弱い接着力でベースシート３０５に接着されている。そして、ＲＦＩＤタグ３００に、物品から引きはがすような力が加えられるとカバーシート３０６がベースシート３０５から剥がれる。カバーシート３０６の隠蔽部分３０４については破壊用パターン３０３に強く接着されており、カバーシート３０６がベースシート３０５から剥がれる際には破壊用パターン３０３が隠蔽部分３０４に付着してベースシート３０５から剥がれる。
【００５２】
図９は、本発明のＲＦＩＤタグの第３実施形態における剥離後の状態を表す図である。
【００５３】
この図９のパート（Ａ）に示すように、剥離後は、ベースシート３０５上にアンテナパターン３０２とＩＣチップ３０１が残っていて、破壊用パターン３０３は、図９のパート（Ｂ）に示すように剥離されている。このため、ＩＣチップ３０１は、抵抗値の大幅な上昇を検知して絶縁状態を確認し、外部機器に通知することができる。また、不正利用者が銅テープやハンダによって修復路３１０を形成した場合であっても、その修復路３１０の抵抗値Ｒｒは、本来の破壊用パターン３０３の抵抗値Ｒｉよりも大幅に小さいため、ＩＣチップ３０１は修復を容易に確認し、外部機器に通知することができる。破壊用パターン３０３は長くて複雑な形状であるうえに、銀ペースト製で、銀色の隠蔽部分に付着しているために視認性も悪い。このため不正利用者は本来の抵抗値Ｒｉを再現することができず、不正利用の確実な回避が実現される。また、破壊用パターン３０３がＩＴＯで形成された形態や、更にＩＴＯの微細パターンで形成された形態も有用な形態である。
【００５４】
なお、上記説明では、本発明にいうカバーやベースの一例としてＰＥＴ製のカバーシートやベースシートが示されているが、本発明にいうカバーやベースは、ＰＥＴ以外の材料からなるものであってもよいし、シート状以外の形状を有するものであってもよい。
【００５５】
また、上記説明では、本発明にいう第１パターンの一例として銅のアンテナパターンが示されているが、本発明にいう第１パターンは、銀ペースト製であってもよい。
【００５６】
また、上記説明では、ベースシートが物品に接着される例が示されているが、本発明のＲＦＩＤタグは、カバー側が物品に接着されてもよい。
【図面の簡単な説明】
【００５７】
【図１】従来技術のＲＦＩＤタグにおける剥離前の状態を表す正面図（Ａ）および側面図（Ｂ）である。
【図２】従来技術のＲＦＩＤタグにおける剥離後の状態を表す正面図（Ａ）および側面図（Ｂ）である。
【図３】従来技術の別のＲＦＩＤタグにおける剥離前の状態（Ａ）および剥離後の状態（Ｂ）を示す図である。
【図４】本発明のＲＦＩＤタグの第１実施形態を示す正面図（Ａ）および側面図（Ｂ）である。
【図５】本発明のＲＦＩＤタグの第１実施形態における剥離後の状態を表す正面図（Ａ）および側面図（Ｂ）である。
【図６】本発明のＲＦＩＤタグの第２実施形態を示す正面図（Ａ）および側面図（Ｂ）である。
【図７】本発明のＲＦＩＤタグの第２実施形態における剥離後の状態を表す正面図（Ａ）および側面図（Ｂ）である。
【図８】本発明のＲＦＩＤタグの第３実施形態を示す図である。
【図９】本発明のＲＦＩＤタグの第３実施形態における剥離後の状態を表す図である。
【符号の説明】
【００５８】
１，２    ＲＦＩＤタグ
１１，２１    ＩＣチップ
１２，２２    アンテナパターン
１３    ベースシート
１４    カバーシート
１５    接着剤
２３    破壊用パターン
２４    導電性インク
１００，２００，３００    ＲＦＩＤタグ
１０１，２０１，３０１    ＩＣチップ
１０２，２０２，３０２    アンテナパターン
１０３ａ    銅線部分
１０３ｂ    ＩＴＯ部分
１０４    サブシート
１０５，２０５，３０５    ベースシート
１０６，２０６，３０６    カバーシート
１０７    接着剤
１０８，２０８    強力な接着剤
１０９，２０９    バンプ
２０３，３０３    破壊用パターン
２０３ａ    破壊部位
２０３ｂ    残留部位
２０７    隠蔽層
２０７ａ    露呈部分
２０７ｂ    隠蔽部分
３０４    隠蔽部分
３１０    修復路
【図１】
2006134249.tif 000003
【図２】
2006134249.tif 000004
【図３】
2006134249.tif 000005
【図４】
2006134249.tif 000006
【図５】
2006134249.tif 000007
【図６】
2006134249.tif 000008
【図７】
2006134249.tif 000009
【図８】
2006134249.tif 000010
【図９】
2006134249.tif 000011